(57)【要約】      （修正有）【課題】耳に掛けずに複数のマスクを交換使用可能にするマスクカバーを提供する。【解決手段】雄側面ファスナーからなり、顔面装飾部材として構成されたアンカー部材２０を予め顔面１０に取付けておく。このアンカー部材２０にマスクカバー３０の左右両端部を止着する。マスクカバー３０は通気性のある繊維素材製であり、その下側に交換マスク３４を重ねる。交換マスク３４はマスクカバー３０により交換可能に保持される。マスクカバー３０の左右端部は延出部３２をなし、ここに設けられる結合部３３は、雌側面ファスナーもしくはこれを省略したマスクカバー３０の繊維素材自体からなる部分であり、アンカー部材２０へ係合する。これにより、マスクカバー３０は顔面１０上に止着され、耳掛け紐による耳掛けをせずに交換マスク３４を顔面上に保持する。【選択図】図１
0003203915.tif 000002
【実用新案登録請求の範囲】
【請求項１】
鼻（１３）及び口（１５）を覆うマスク（３４）の上に重ねられ、周囲の一部を顔面（１０）へ着脱自在に止着することにより、前記マスク（３４）を顔面（１０）上へ交換可能に保持することを特徴とするマスクカバー。
【請求項２】
前記マスクカバー（３０）は、通気性を有する繊維素材からなることを特徴とする請求項１に記載したマスクカバー。
【請求項３】
前記マスクカバー（３０）の表面には、模様等の装飾が施されていることを特徴とする請求項２に記載したマスクカバー。
【請求項４】
前記マスクカバー（３０）は、予め顔面（１０）上へ取付けられたアンカー部材（２０）へ着脱自在に止着されることを特徴とする請求項１〜３のいずれか１項に記載したマスクカバー。
【請求項５】
前記アンカー部材（２０）が雄側面ファスナーからなり、前記マスクカバー（３０）は繊維素材からなり前記アンカー部材（２０）の雄側面ファスナーと係合することを特徴とする請求項４に記載したマスクカバー。
【考案の詳細な説明】
【技術分野】
【０００１】
この考案は、顔面へ取付けられ、複数のマスクを交換可能に保持するマスクカバーに関する。
【背景技術】
【０００２】
顔面へ予めアンカー部材を取付け、このアンカー部材を介してマスクを着脱自在に顔面へ装着するものは公知である。このようにしたマスクは、従来のように耳掛け紐を介して耳へ取付けないので、長時間使用しても耳の付け根が痛くなるようなことが無く、快適に使用できる。また、アンカー部材はマスクを止着しないとき、それ自体を顔面に露出させて装飾部材として利用することもできる（特許文献１）。
さらに、耳掛け紐のないマスクの他の例として、マスクをマスク本体と左右方向端部に分離し、左右方向端部を粘着部とし、これを粘着材で顔面へ取付けるとともに、この部分の表面と、これに重なるマスク本体の端部内側に面ファスナー等からなる接続部を設け、この接続部でマスク本体を粘着部と分離・結合にすることにより、マスク本体を顔面上へ着脱自在にしたものもある（特許文献２）。
なお、一般的な面ファスナーは、互いに係脱する雄側面ファスナーと雌側面ファスナーの組み合わせで構成され、雄側面ファスナーは係合突起を備えるものであり、雌側面ファスナーは雄側面ファスナーの係合突起が係合するループ状等の繊維部分を有するものである。また、本願では雌側面ファスナーと同様に雄側面ファスナーを係合させることを雌側面ファスナー機能ということにする。
【先行技術文献】
【特許文献】
【０００３】
【特許文献１】特許第４６８４３１８号公報
【特許文献２】特開２００７−２０９８３号公報
【考案の概要】
【考案が解決しようとする課題】
【０００４】
ところで、上記特許文献１及び２のマスクは、アンカー部材に対する係合凹部もしくは雌側面ファスナー等の係合部を設け無ければならないので、専用のものとなり、マスクの性能を変えようとすれば、全体を交換しなければならず、汎用性に乏しいものであった。そこで、異なる性能等を有する複数のマスクを交換使用可能にして汎用性を高めるようにすることが求められることになった。本願はこのような要請を実現するものである。
【課題を解決するための手段】
【０００５】
上記課題を解決するため請求項１に記載したマスクカバーに係る考案は、鼻（１３）及び口（１５）を覆うマスク（３４）の上に重ねられ、周囲の一部を顔面（１０）へ着脱自在に止着することにより、前記マスク（３４）を顔面（１０）上へ交換可能に保持することを特徴とする。
【０００６】
請求項２に記載した考案は上記請求項１において、前記マスクカバー（３０）は、通気性を有する繊維素材からなることを特徴とする。
【０００７】
請求項３に記載した考案は上記請求項２において、前記マスクカバー（３０）には、模様等の装飾が施されていることを特徴とする。
【０００８】
請求項４に記載した考案は上記請求項１〜３のいずれか１項において、前記マスクカバー（３０）は、予め顔面（１０）上へ取付けられたアンカー部材（２０）へ着脱自在に止着されることを特徴とする。
【０００９】
請求項５に記載した考案は上記請求項４において、前記アンカー部材（２０）が雄側面ファスナーからなり、前記マスクカバー（３０）は繊維素材からなり前記アンカー部材（２０）の雄側面ファスナーと係合することを特徴とする。
【考案の効果】
【００１０】
請求項１の考案によれば、マスクカバーをマスクの上に重ね、その周囲の一部を顔面へ着脱自在に止着することにより、マスクを顔面上へ交換可能に保持することができる。このため、マスクカバーを共通とし、複数の性能や形状等の異なるマスクを交換使用できるようになり、汎用性が増す。また、マスクカバーを顔面へ取付けることにより、耳掛け紐を省略できるので、耳掛け紐による耳の苦痛を解消できる。
【００１１】
請求項２の考案によれば、マスクカバーが通気性を有する繊維素材からなるので、下に重なっているマスクの機能を損なわない。
【００１２】
請求項３の考案によれば、マスクカバーには、模様等の装飾が施されているので、顔面の装飾部材として使用できる。特にマスク嫌いの子供等に対して、マスクカバーに好みの模様等を付すことにより、好んでマスクカバーを装着するようにさせることで、マスクの使用を促進できる。
【００１３】
請求項４の考案によれば、予め顔面上へアンカー部材を取付けておくことにより、このアンカー部材へマスクカバーを着脱自在に止着できる。したがって、アンカー部材を顔面の適所へ取付けておくことにより、マスクカバーを顔面上へ容易に止着できる。また、アンカー部材を装飾部材とすれば、マスクを使用しないときも、アンカー部材で顔面を装飾できる。
【００１４】
請求項５の考案によれば、アンカー部材が雄側面ファスナーからなり、マスクカバーをアンカー部材の雄側面ファスナーと係合する繊維素材から構成することにより、雌側面ファスナーを設けずにマスクカバーをアンカー部材へ直接止着させることができ、マスクカバーの構成を簡単にすることができる。
【図面の簡単な説明】
【００１５】
【図１】装着前状態を示す斜視図
【図２】装着時状態を示す斜視図
【図３】アンカー部材の正面図及び断面図
【図４】別形式のアンカー部材を示す模式図
【考案を実施するための形態】
【００１６】
以下、図面に基づいて一実施形態を説明する。図１はマスクカバーを装着する途中の状態、図２は装着後の状態をそれぞれ示す。
顔面１０の耳１１近傍における左右両頬１２に予めアンカー部材２０が着脱自在に取付けられている。アンカー部材２０は雄側面ファスナーからなり、その取付位置は、頬１２のうち、鼻１３と耳１１の中間部で耳１１寄りの位置である。１４は目、１５は口、１６は顎（図１）、１７は耳前方の髪の毛（「もみあげ」ともいう）である。
【００１７】
なお、アンカー部材２０の取付位置は任意に設定できる。本実施例では、鼻１３の先端側後方かつ耳の穴前方に位置する突起１１ａの前方となる頬骨上位置１２ａになっている。この位置は、耳たぶ１１ｂの近傍でもあって、アンカー部材２０を容易に取付けできるスペースがあるとともに、マスクカバー３０の支持に適した位置であり、かつアンカー部材２０を露出させる場合に周囲から見えやすい位置でもある。
【００１８】
また、耳前方の髪の毛１７と耳１１との間に形成される耳前方部１２ｂも、マスクカバー３０を支持するアンカー部材２０の取付位置に適している。この位置は、特に化粧をした女性などにおいても、この部分はほとんど化粧がされないため、アンカー部材２０を着脱しても、化粧が乱れる心配のない部分である。
なお、耳前方部１２ｂは、比較的前後方向（横幅方向）の狭い部分であるが、アンカー部材２０を図示形状と異なる楕円等の縦長形状にしておけば、耳前方部１２ｂへ容易に取付けることができる。
【００１９】
左右のアンカー部材２０にはマスクカバー３０の左右両端が着脱自在に止着される。マスクカバー３０は不織布等の通気性を有する繊維素材であり、左右の頬１２間を横断して顔面１０の下半部全体を覆う左右方向へ長い部材であり、鼻１３、口１５、顎１６を覆う。但し、顎１６を覆わない形状のものでも良い。
【００２０】
マスクカバー３０は本願考案におけるフェイスカバーの一例であり、顔面装着部材として左右方向中間部の本体部３１と、その左右両側から耳１１方向へ延びる延出部３２を一体に備え、顔面へフィットするように立体的に形成されている。延出部３２の裏側（顔面１０に対面する側）でアンカー部材２０に重なる位置には結合部３３が設けられている。この例における結合部３３は、雌側面ファスナーであり、両面接着等で延出部３２の裏面へ予め取付けられている。
【００２１】
アンカー部材２０を構成する雄側面ファスナーは、その表面に雄側結合部が設けられ、これに雌側面ファスナーからなる結合部３３が係合可能になっており、その結果、結合部３３はアンカー部材２０へ係脱自在になっている。
なお、マスクカバー３０がフェルトや不織布、又はガーゼのような織布などの布であり、アンカー部材２０に結合する部分の表面が起毛等してそれ自体が雌側面ファスナーとして機能できる場合は雌側面ファスナーを省略可能である。
【００２２】
すなわち、結合部３３は雌側面ファスナー機能部であり、マスクカバー３０の一部（少なくとも雄側面ファスナーのアンカー２０へ重なる部分）が起毛等して雌側面ファスナーとして機能する場合は、この部分自体を結合部３３とし、別体の雌側面ファスナーを省略することができる。但し、マスクカバー３０が布であっても、平織りの場合は、別体の結合部３３を設けることが好ましい。
【００２３】
本体部３１の裏側には、医療用もしくは衛生用の交換マスク３４が重ねられている。交換マスク３４は、例えば花粉対策として５μｍ以上の微粒子を捕捉できる家庭用の衛生マスクであり、市販されている既製品である。但し、耳掛け紐のないフィルター本体部のみからなり、ガーゼや不織布などの適当な素材を単純に四角状に折り畳んだものでもよい。また、マスクの性能は、より小さな微粒子を捕捉できる医療用や産業用のものでもよい。
なお、マスクカバー３０は通気性を有する例えば不織布製のものであって、多少のフィルター機能を有する場合でも、そのフィルター性能は家庭用の衛生マスクレベルより低いものとなっている。
【００２４】
この交換マスク３４は、本体部３１の裏側へ重ねられることにより、鼻１３、目１４もしくは口１５を覆った状態で、マスクカバー３０により顔面１０上へ固定される。但し、交換マスク３４をマスクカバー３０へより確実に固定させるには、必要により両面接着テープ等により仮止めすることもできる。
【００２５】
本体部３１の表面には、上部表示３５と下部表示３６が設けられている。これらはマスクカバー３０を上下反対にして使用することを防止するためのものであり、上部表示３５は、例えば鼻１３の上になる部分に、「ＮＯＳＥ」の文字と上向き矢印、下部表示３６はあご１６の上になる部分に「ＣＨＩＮ」の文字と下向き矢印を表示することにより形成されている。
【００２６】
ただし、上部表示３５と下部表示３６はこのような文字や記号に限らず、種々の文字、符号、記号や図形などが可能であり、例えば、△▽などでもよい。
また、結合部３３の表側に結合部表示３７が設けられ、この例では、結合方向を示す矢印等の適当な表示が設けられている。この表示も、種々の文字、符号、記号や図形などが可能である。
【００２７】
図１に示すように、本体部３１の裏側へ交換マスク３４を重ね、予め一方側の結合部３３をアンカー部材２０へ係合させ、本体部３１及び交換マスク３４を鼻１３、目１４上へ重ね、他方側の結合部３３を対向する側のアンカー部材２０へ重ねて係合させる。
これにより、図２に示すように、マスクカバー３０は左右両端の結合部３３が左右両頬１２上のアンカー部材２０へ係合することにより顔面１０上に止着固定され、同時に交換マスク３４もマスクカバー３０により顔面１０上に固定される。
【００２８】
このとき、マスクカバー３０における結合部３３表側には、結合部表示３７が設けられているので、結合部３３をアンカー部材２０の上へ容易に重ねることができる。また、上部表示３５と下部表示３６の存在により上下の合わせも正確にできる。
【００２９】
この装着状態において、左右の延出部３２は交換マスク３４から左右へ延び、耳１１近傍まで頬１２の上を覆う。また、上下方向にても、本体部３１の上下部が交換マスク３４の上下を越えて長く延びだしている。
したがって、マスクカバー３０は交換マスク３４を完全に覆い、交換マスク３４を露出させないため、顔面装飾としても機能している。マスクカバー３０の表面に適宜な.装飾模様を形成したり、カラフルに着色したり、全体形状を装飾的にすれば、さらに顔面装飾部材としての効果を高めることができる。
また、交換マスク３４を耳掛け紐で耳１１へ掛けないため、長時間装着しても耳の付け根が痛くなることがない。
【００３０】
交換マスク３４は、必要により交換自由である。交換する場合は、まず、マスクカバー３０の左右の結合部３３のうち少なくとも一方をアンカー部材２０から外せば、マスクカバー３０を顔面１０から離し、交換マスク３４だけをマスクカバー３０及び顔面１０から取り外すことができ、交換マスク３４のみを交換してマスクカバー３０の内側へ重ね、再びマスクカバー３０の左右の結合部３３を対応するアンカー部材２０へ係合すれば、顔面１０上に新たな交換マスク３４を装着できる。
【００３１】
しかも、複数の交換マスク３４は既製品（耳掛け紐がある場合はこれを切除するか、もしくはそのまま残した状態のもの）が利用できるとともに、これらに対して共通のマスクカバー３０を使用できるので、マスクカバー３０を専用品とせず、複数のマスクを交換できるようになり汎用性が増す。
【００３２】
また、アンカー部材２０は予め顔面１０へ取り付けたままとしておくことができる。アンカー部材２０は顔面へ粘着剤により取付けてから一度剥がすと、粘着剤の表面に皮脂が付着することにより、再度の粘着が困難になり、繰り返し使用が難しくなるが、アンカー部材２０を剥がさなければアンカー部材２０は顔面１０に対する当初の取付状態を維持し、アンカーとしての機能を失わない。そこで、アンカー部材２０を剥がさず、マスクカバー３０のみを脱着することにより、顔面１０へマスクカバー３０を複数回着脱できる。
【００３３】
しかも、マスクカバー３０を装着しないときは、アンカー部材２０が顔面１０の上に露出して配置されることになるが、アンカー部材２０の表面には後述するように、印刷により装飾が施されているので、アンカー部材２０を積極的に顔面１０の装飾部材として機能させることができ、アンカー部材２０を単独で顔面１０の上に残し、マスクカバー３０と関係なく顔面装飾部材として使用できる。
【００３４】
図３は雄側面ファスナーとして形成されたアンカー部材２０の詳細を示す。図３は（Ａ）にアンカー部材２０の正面図、（Ｂ）に（Ａ）のＢ−Ｂ線断面図を示す。これらにおいて、アンカー部材２０は基部２１の裏面は平滑面をなし、ここに適当な粘着剤が塗布された粘着層２２が形成され、顔面１０へ着脱自在に取付可能である。なお、粘着層２２は、両面接着テープ式のものであってもよい。基部２１を含むアンカー部材２０は、顔面１０の曲面になじんで変形できるようにある程度の柔らかな弾性を有する弾性部材からなる。
【００３５】
基部２１の表面側には、雄側係合部材２３が形成され、その上に装飾部２４が印刷により形成されている。なお、図３の（Ｂ）は、雄側係合部材２３及び装飾部２４を概略的にかつ誇張したサイズの表記になっている。装飾部２４はアンカー部材２０における装飾面でもある。
【００３６】
装飾部２４は雄側係合部材２３の上から印刷で着色形成され、例えば、宝飾類（ビジュー）を模した宝飾風装飾印刷（ビジュー印刷という）となっている。図３の（Ａ）に示す例では、正面視６角形状をなし、表面全体がビジューの印刷による装飾部２４になっている。周囲の縁取り部２４ｃは、カット面を示すように表現されている。
【００３７】
また、ビジュー印刷とすることにより、アンカー部材２０を顔面１０へ取付けたまま、これへマスクカバー３０を係合しない状態で、顔面１０を装飾する宝飾風顔面アクセサリーとすることができる。したがって、アンカー部材２０を単独で比較的長時間顔面１０上へ取付けておくことが可能になる。
但し、装飾部２４としてビジューの印刷は必須ではなく、宝飾風以外の模様や形状等からなる適宜装飾にすることができる。
【００３８】
さらに、マスクカバー３０を単に止着するためだけの目的でアンカー部材を用いる場合、このアンカー部材は装飾的に構成されないシンプルなものであってもよい。例えば、雄側面ファスナーの原反ロール等から、正方形又は長方形等の装飾性のない形状にカットしただけのものを使用できる。また、適当形状にカットされたものを、表面に印刷や着色等の特別な装飾を施さず地色の素材のまま使用することもできる。
【００３９】
また、アンカー部材を面ファスナー以外のもので構成することもできる。図４はこの一例を示す模式図であり、アンカー部材２０Ａは、薄肉の金属や樹脂からなる基部２１Ａを備え、その裏面には粘着層２２Ａが設けられている。基部２１Ａの表面には係合突起２３Ａが突出形成されている。基部２１Ａの表面には着色や印刷等の装飾が施されてもされなくてもよい。
【００４０】
係合突起２３Ａは、基部２１Ａから一体に突出形成されるか別体のの突起物を取付けることにより予め突出形状に形成されているか、もしくは使用時に突出するように形成されている。この例では、図中（Ｂ）に示すように、基部２１Ａをアルミ等の柔らかな金属板から形成し、係合突起２３Ａの展開形状２３Ａａに予め切れ目２３Ａｂを入れておく。
この基部２１Ａを粘着層２２Ａで顔面へ取付けるとともに、展開形状２３Ａａを切り起こして先端側を折り曲げると、図中（Ａ）に示すように、係合突起２３Ａが形成される。
このようにすると、係合突起２３Ａを使用時に突出させればよく、それまでは、基部２１Ａの表面が平面状をなすので、取り扱いが容易となり、大量の基部２１Ａを一まとめにして梱包や輸送するときに便利である。
【００４１】
このアンカー部材２０Ａにマスクカバー３０を止着させるには、図中（Ｃ）に示すように、マスクカバー３０の延出部３２に係止穴３０ａを設け、この係止穴３０ａを係合突起２３Ａに係合させればよい。但し、係合突起２３Ａとの係合構造はこれに限定されず、例えば、図中（Ｄ）に示すように、マスクカバー３０の左右方向端部に、紐状物等からなる係止リング３０ｂを設け、この係止リング３０ｂを係合突起２３Ａに係合させてもよい。また、係止穴３０ａや係止リング３０ｂに代えて延出部３２の裏面に係合突起２３Ａの係合部を設けてもよい。
【００４２】
なお、図中（Ａ）及び（Ｂ）に示したアンカー部材２０Ａは、（Ｃ）及び（Ｄ）におけるマスクカバー３０の延出部３２に対して誇張して拡大したものを示している。実際のアンカー部材２０Ａは、マスクカバー３０を止着するとき延出部３２の下に隠れる程度の大きさにすることが好ましい。
【００４３】
なお、マスクカバーのアンカー部材に対する止着構造は上記のものに限定されず種々可能である。例えば、ホックのような係脱自在の雌雄部材の一方を、アンカー部材に取付け、他方をマスクカバー側へ取付けてもよい。
また、アンカーカバーとこれに重なるマスクカバーの一部のいずれか一方側又は両側に両面接着テープ等からなる接着（粘着）剤を設け、接着（粘着）により着脱してもよい。
【００４４】
このように、本願によれば、マスクカバー３０を交換マスク３４の上に重ね、その周囲の一部である延出部３２の結合部３３を顔面１０へ着脱自在に止着することにより、交換マスク３４を顔面１０上へ交換可能に保持することができる。このため、マスクカバー３０を共通とし、複数の性能や形状等の異なる交換マスク３４を交換使用できるようになり、汎用性が増す。また、マスクカバー３０を顔面１０へ取付けることにより、耳掛け紐を省略できるので、耳掛け紐による耳の苦痛を解消できる。
しかも、マスクカバー３０が不織布等の通気性を有する繊維素材からなるものであれば、下に重なっている交換マスク３４の機能を損なわない。
【００４５】
また、マスクカバー３０に模様等の装飾を施すと、顔面１０の装飾部材として使用できる。特にマスク嫌いの子供等に対して、マスクカバー３０に好みの模様等を付すことにより、好んでマスクカバー３０の装着させることで、マスクの使用を促進できる。このような装飾は、使用対象に応じて、模様・形状を好まれるものになるよう適宜選ぶことができる。
【００４６】
さらに、マスクカバー３０を、予め顔面上へ取付けられているアンカー部材２０へ着脱自在に止着できる。したがって、アンカー部材２０を予め顔面１０の適所へ取付けておくことにより、マスクカバー３０を顔面１０上へ容易に止着できる。
また、アンカー部材２０を装飾部材とすれば、交換マスク３４を使用せず、したがって、マスクカバー３０を止着しないときも、アンカー部材２０で顔面１０を装飾できる。
【００４７】
そのうえ、アンカー部材２０を雄側面ファスナーからなるものとし、マスクカバー３０をアンカー部材２０の雄側面ファスナーと係合する繊維素材から構成することにより、雌側面ファスナーを設けずにマスクカバー３０をアンカー部材２０へ直接止着させることができ、マスクカバー３０の構成を簡単にすることができる。
【００４８】
なお、本願考案は上記実施形態に限定されるものではなく、考案の原理内において種々に変形や応用が可能である。例えば、マスクカバー３０が簡易なフィルター機能を有する通気性素材で構成されている場合は、内側の交換マスク３４を省略した状態で、結合部３３をアンカー部材２０へ止着すれば、交換マスク３４抜きで、直接鼻１３や口１５を覆って比較的大きな埃等を防ぐ簡易マスクもしくは冬期の防寒マスクとして、マスクカバー３０を使用することもできる。この場合も、素材や色の選択もしくは表面へ適当な模様等の装飾を施すこと等により、顔面装飾部材としても機能させることができる。
【符号の説明】
【００４９】
１０：顔面、１１：耳、１２：頬、１３：鼻、２０：アンカー部材、３０：マスクカバー、３２：延出部、３３：結合部、３４：交換マスク
【図１】
0003203915.tif 000003
【図２】
0003203915.tif 000004
【図３】
0003203915.tif 000005
【図４】
0003203915.tif 000006